(57)【特許請求の範囲】
【請求項１】
交換可能な状態で装着されている第１の記録媒体から前記第１の記録媒体毎に固有の識別情報を取得する識別情報取得手段と、
前記第１の記録媒体に記録されたコンテンツを読み出す再生手段と、
前記第１の記録媒体に記録され、且つ、前記識別情報とは異なる別の情報であって、暗号鍵の生成に用いるランダムな数値である鍵関連情報を読み出す鍵関連情報取得手段と、
前記鍵関連情報取得手段により読み出された前記鍵関連情報に応じて前記暗号鍵を生成する鍵生成手段と、
前記再生手段により読み出された前記コンテンツを前記鍵生成手段が生成した前記暗号鍵に応じて暗号化する暗号化手段と、
前記暗号化手段で暗号化された前記コンテンツを前記識別情報と関連付けて第２の記録媒体に記録する記録手段と、
前記第２の記録媒体にランダムアクセスして前記コンテンツを読み出した前記コンテンツを前記暗号鍵に応じて復号化する復号化手段と、
前記第２の記録媒体に記録されている前記コンテンツを再生する際に、再生を指示されたコンテンツに対応する識別情報が、本装置に装着された前記第１の記録媒体から前記識別情報取得手段を介して供給されている場合のみ、前記第２の記録媒体に記録された前記コンテンツを前記復号化手段によって復号させる再生コンテンツ制限手段と、
を備えることを特徴とするコンテンツ再生装置。
【請求項２】
交換可能な状態で装着されている第１の記録媒体から前記第１の記録媒体毎に固有の識別情報を取得する識別情報取得手段と、
前記第１の記録媒体に記録されたコンテンツを読み出す第１の再生手段と、
前記第１の記録媒体に記録され、且つ、前記識別情報とは異なる別の情報であって、暗号鍵の生成に用いるランダムな数値である鍵関連情報を読み出す鍵関連情報取得手段と、
前記鍵関連情報取得手段により読み出された前記鍵関連情報に応じて前記暗号鍵を生成する鍵生成手段と、
前記第１の再生手段により読み出された前記コンテンツに対応して該コンテンツの第２の記録媒体への記録における管理情報を前記鍵生成手段が生成した前記暗号鍵に応じて暗号化する暗号化手段と、
前記コンテンツと前記暗号化手段で暗号化された前記管理情報とを前記識別情報と関連付けて前記第２の記録媒体に記録する記録手段と、
前記第２の記録媒体にランダムアクセスして前記コンテンツを読み出す第２の再生手段と、
前記第２の再生手段により前記コンテンツを読み出す時に、前記管理情報を前記暗号鍵に応じて復号化する復号化手段と、
前記第２の記録媒体に記録されている前記コンテンツを再生する際に、再生を指示されたコンテンツに対応する識別情報が、本装置に装着された前記第１の記録媒体から前記識別情報取得手段を介して供給されている場合のみ、前記復号化された前記管理情報を参照して前記第２の記録媒体に記録された前記コンテンツを前記第２の再生手段によって再生させる再生コンテンツ制限手段と、
を備えることを特徴とするコンテンツ再生装置。
【請求項３】
交換可能な状態で装着されている第１の記録媒体から前記第１の記録媒体毎に固有の識別情報を取得する識別情報取得手段と、
前記第１の記録媒体に記録されたコンテンツを読み出す再生手段と、
前記第１の記録媒体に記録され、且つ、前記識別情報とは異なる別の情報であって、暗号鍵の生成に用いるランダムな数値である鍵関連情報を読み出す鍵関連情報取得手段と、
前記鍵関連情報取得手段により読み出された前記鍵関連情報に応じて前記暗号鍵を生成する鍵生成手段と、
前記再生手段により読み出された前記コンテンツ及び当該コンテンツの第２の記録媒体への記録における管理情報を前記鍵生成手段が生成した前記暗号鍵に応じて暗号化する暗号化手段と、
前記暗号化手段で暗号化された前記コンテンツ及び前記管理情報を前記識別情報と関連付けて前記第２の記録媒体に記録する記録手段と、
前記第２の記録媒体にランダムアクセスして読み出した前記コンテンツ及び前記管理情報を前記暗号鍵に応じて復号化する復号化手段と、
前記第２の記録媒体に記録されている前記コンテンツを復号化する際に、再生を指示されたコンテンツに対応する識別情報が、本装置に装着された前記第１の記録媒体から前記識別情報取得手段を介して供給されている場合のみ、前記復号化された前記管理情報を参照して前記第２の記録媒体に記録された前記コンテンツを前記復号化手段によって復号化させる再生コンテンツ制限手段と、
を備えることを特徴とするコンテンツ再生装置。
【請求項４】
前記第２の記録媒体、もしくは、前記記録手段は、前記第２の記録媒体に記録した前記コンテンツ及び当該コンテンツの第２の記録媒体への記録における管理情報を、前記第１の記録媒体から取得した前記識別情報と対応付けして対応テーブルを作成し、この対応テーブルを保持する対応テーブル保持手段を備え、
前記再生コンテンツ制限手段は、前記第２の記録媒体に記録されている前記コンテンツを復号化又は再生する際に、本装置に装着されている前記第１の記録媒体から前記識別手段によって取得された前記識別情報と前記対応テーブルにおいて対応付けられたコンテンツのみを復号化又は再生することを特徴とする請求項１〜請求項３のうちいずれか１項記載のコンテンツ再生装置。
【発明の詳細な説明】
【０００１】
【発明の属する技術分野】
本発明は、磁気テープ等の記録媒体に記録された動画像等のコンテンツを、一旦磁気ディスクドライブ装置等のアクセスが高速な記録装置に格納し、格納したコンテンツを読み出して再生するコンテンツ再生装置に関する。
【０００２】
【従来の技術】
従来の磁気テープ，光ディスク等の記録媒体に対してアクセスが高速なハードディスクドライブ装置（ＨＤＤ装置）を記録手段として用いた映像記録再生装置（いわゆるハードディスクレコーダ）が知られている。
【０００３】
また、ＨＤＤ装置は、記録媒体上の任意の位置に対して記録再生を行う、いわゆるランダムアクセスが高速であるため、従来の磁気テープ等の記録媒体に記録された映画等のコンテンツを読み出して一旦ＨＤＤ装置に格納し、ＨＤＤ装置から再生することにより、再生するコンテンツのランダムアクセス性を向上させることが考えられている。
【０００４】
【発明が解決しようとする課題】
しかしながら、一般に販売されている録画済の磁気テープ等に記録されている映画等のコンテンツには著作権があるため、上述のように再生装置内のＨＤＤ装置にコンテンツを格納した後、装置から磁気テープを取り出した状態で、ＨＤＤ装置に格納されたコンテンツを再生できるようにしてしまうと、複製と同様の効果が得られることになる。
【０００５】
このため、何らかの技術的手段によって、コンテンツの複製を禁止あるいは困難にし、著作権の保護に寄与することが望まれている。
【０００６】
本発明は、上述のような課題に鑑みてなされたものであり、コンテンツの複製の阻止に寄与することができるコンテンツ再生装置を提供することを目的とする。
【０００７】
【課題を解決するための手段】
本発明は上記課題に鑑みてなされたものであり、請求項１記載の発明は、交換可能な状態で装着されている第１の記録媒体から前記第１の記録媒体毎に固有の識別情報を取得する識別情報取得手段と、前記第１の記録媒体に記録されたコンテンツを読み出す再生手段と、前記第１の記録媒体に記録され、且つ、前記識別情報とは異なる別の情報であって、暗号鍵の生成に用いるランダムな数値である鍵関連情報を読み出す鍵関連情報取得手段と、前記鍵関連情報取得手段により読み出された前記鍵関連情報に応じて前記暗号鍵を生成する鍵生成手段と、前記再生手段により読み出された前記コンテンツを前記鍵生成手段が生成した前記暗号鍵に応じて暗号化する暗号化手段と、前記暗号化手段で暗号化された前記コンテンツを前記識別情報と関連付けて第２の記録媒体に記録する記録手段と、前記第２の記録媒体にランダムアクセスして前記コンテンツを読み出した前記コンテンツを前記暗号鍵に応じて復号化する復号化手段と、前記第２の記録媒体に記録されている前記コンテンツを再生する際に、再生を指示されたコンテンツに対応する識別情報が、本装置に装着された前記第１の記録媒体から前記識別情報取得手段を介して供給されている場合のみ、前記第２の記録媒体に記録された前記コンテンツを前記復号化手段によって復号させる再生コンテンツ制限手段と、を備えることを特徴とするコンテンツ再生装置である。
また、請求項２記載の発明は、交換可能な状態で装着されている第１の記録媒体から前記第１の記録媒体毎に固有の識別情報を取得する識別情報取得手段と、前記第１の記録媒体に記録されたコンテンツを読み出す第１の再生手段と、前記第１の記録媒体に記録され、且つ、前記識別情報とは異なる別の情報であって、暗号鍵の生成に用いるランダムな数値である鍵関連情報を読み出す鍵関連情報取得手段と、前記鍵関連情報取得手段により読み出された前記鍵関連情報に応じて前記暗号鍵を生成する鍵生成手段と、前記第１の再生手段により読み出された前記コンテンツに対応して該コンテンツの第２の記録媒体への記録における管理情報を前記鍵生成手段が生成した前記暗号鍵に応じて暗号化する暗号化手段と、前記コンテンツと前記暗号化手段で暗号化された前記管理情報とを前記識別情報と関連付けて前記第２の記録媒体に記録する記録手段と、前記第２の記録媒体にランダムアクセスして前記コンテンツを読み出す第２の再生手段と、前記第２の再生手段により前記コンテンツを読み出す時に、前記管理情報を前記暗号鍵に応じて復号化する復号化手段と、前記第２の記録媒体に記録されている前記コンテンツを再生する際に、再生を指示されたコンテンツに対応する識別情報が、本装置に装着された前記第１の記録媒体から前記識別情報取得手段を介して供給されている場合のみ、前記復号化された前記管理情報を参照して前記第２の記録媒体に記録された前記コンテンツを前記第２の再生手段によって再生させる再生コンテンツ制限手段と、を備えることを特徴とするコンテンツ再生装置である。
また、請求項３記載の発明は、交換可能な状態で装着されている第１の記録媒体から前記第１の記録媒体毎に固有の識別情報を取得する識別情報取得手段と、前記第１の記録媒体に記録されたコンテンツを読み出す再生手段と、前記第１の記録媒体に記録され、且つ、前記識別情報とは異なる別の情報であって、暗号鍵の生成に用いるランダムな数値である鍵関連情報を読み出す鍵関連情報取得手段と、前記鍵関連情報取得手段により読み出された前記鍵関連情報に応じて前記暗号鍵を生成する鍵生成手段と、前記再生手段により読み出された前記コンテンツ及び当該コンテンツの第２の記録媒体への記録における管理情報を前記鍵生成手段が生成した前記暗号鍵に応じて暗号化する暗号化手段と、前記暗号化手段で暗号化された前記コンテンツ及び前記管理情報を前記識別情報と関連付けて前記第２の記録媒体に記録する記録手段と、前記第２の記録媒体にランダムアクセスして読み出した前記コンテンツ及び前記管理情報を前記暗号鍵に応じて復号化する復号化手段と、前記第２の記録媒体に記録されている前記コンテンツを復号化する際に、再生を指示されたコンテンツに対応する識別情報が、本装置に装着された前記第１の記録媒体から前記識別情報取得手段を介して供給されている場合のみ、前記復号化された前記管理情報を参照して前記第２の記録媒体に記録された前記コンテンツを前記復号化手段によって復号化させる再生コンテンツ制限手段と、を備えることを特徴とするコンテンツ再生装置である。
また、請求項４記載の発明は、前記第２の記録媒体、もしくは、前記記録手段は、前記第２の記録媒体に記録した前記コンテンツ及び当該コンテンツの第２の記録媒体への記録における管理情報を、前記第１の記録媒体から取得した前記識別情報と対応付けして対応テーブルを作成し、この対応テーブルを保持する対応テーブル保持手段を備え、前記再生コンテンツ制限手段は、前記第２の記録媒体に記録されている前記コンテンツを復号化又は再生する際に、本装置に装着されている前記第１の記録媒体から前記識別手段によって取得された前記識別情報と前記対応テーブルにおいて対応付けられたコンテンツのみを復号化又は再生することを特徴とする請求項１〜請求項３のうちいずれか１項記載のコンテンツ再生装置である。
【０００８】
第１の記録媒体には、例えば磁気テープ，光ディスク等の媒体が含まれる。第２の記録媒体には、第１の記録媒体に比較してアクセスが高速な、磁気ディスクドライブ装置（ＨＤＤ装置），メモリ装置等の記録媒体が含まれる。
【０００９】
また、第１の記録媒体の識別は、例えば当該記録媒体の記録領域に記録することも、あるいは当該記録媒体の筐体等の表面に表示することもできる。筐体表面の表示には、例えばバーコード，ＯＣＲ（光学文字読み取り）に用いる文字等の光学的に読み取り可能な表示の他、例えば筐体の形状を変化させる等の機械的に読み取り可能な表示が含まれる。
【００１０】
【発明の実施の形態】
本発明は、例えば磁気テープに記録された映画等のコンテンツを読み出して、一旦ハードディスクドライブ（ＨＤＤ）装置に保持し、ＨＤＤ装置からコンテンツを再生するコンテンツ再生装置等に適用することができる。
【００１１】
（構成）
本発明の一実施形態に係るコンテンツ再生装置は、例えば図１に示すように、磁気テープを収容したカセットテープ１（第１の記録媒体）に記録されている映画等のコンテンツを読み出し、ＨＤＤ装置２内の磁気ディスク（第２の記録媒体）に一旦保持し、ユーザからの指示に従って、ＨＤＤ装置２に保持したコンテンツを読み出し、映像信号として出力するものである。
【００１２】
このコンテンツ再生装置は、磁気テープ１に記録された映画等のコンテンツを映像信号（アナログ方式の場合）あるいは映像情報（デジタル方式の場合）として再生するテープ再生部１０を備えている。カセットテープ１から識別情報を取得する識別情報取得部２０と、カセットテープ１からコンテンツの暗号鍵に関連する情報を取得する鍵関連情報取得部３０と、暗号鍵を生成する鍵処理部４０と、鍵処理部４０が生成した暗号鍵に応じてコンテンツの暗号化／復号化を実行する暗号化処理部５０と、ＨＤＤ装置２に対する記録／再生を制御するＨＤＤ記録再生部６０と、再生されたコンテンツを例えば映像信号として外部のモニター装置等に出力する信号出力部７０とを備えている。
【００１３】
カセットテープ１は、記録方式に応じた再生処理を行うようにコンテンツ再生装置のテープ再生部を構成すれば、アナログ方式の記録を行うものであっても、デジタル方式の記録を行うものであってもよい。
【００１４】
また、カセットテープ１には、個々のカセットテープ１毎に固有の識別情報（ＩＤ）を保持する識別情報保持部１ａと、記録されているコンテンツの暗号鍵に関連する情報（鍵関連情報）を保持する鍵関連情報保持部１ｂとが設けられている。
【００１５】
これらの保持部１ａ，１ｂは、磁気テープ上の所定の領域としても、バーコード，ＯＣＲ文字，カセットテープ１の筐体の形状等のカセットテープ１表面の表示等としても構成することができる。あるいは、撮影日時等の情報を保持するメモリ素子を備えるカセットテープ１であれば、このメモリ素子上の所定の領域をこれらの保持部１ａ，１ｂとして用いるようにしてもよい。
【００１６】
これらの識別情報保持部１ａの容量は、流通している個々の録画済のカセットテープ１に記録されているコンテンツを識別することができる程度の容量とする。例えば市場に流通しているコンテンツが１００万タイトルであったとすれば、個々のタイトルを識別するためには、２の２０乗（２２０＝1,048,576）程度で充分であるため、識別情報保持部１ａの容量は２０ビット程度で充分である。
【００１７】
また、鍵関連情報保持部１ｂに保持される鍵関連情は、暗号鍵の生成に用いるランダムな数値である。この鍵関連情は、必ずしもコンテンツ等の情報と別個に用いる必要はなく、例えばコンテンツ内の所定の位置の情報とするようにしてもよい。
【００１８】
カセットテープ１に収容されている磁気テープ１０１上には、例えば図２に示すように、情報を記録する記録領域１０１ａと、テープの走行等の制御に用いるサーボ信号等を記録するサーボ領域１０１ｂとが設けられている。
【００１９】
記録領域１０１ａには、テープ再生部１０が備える回転磁気ヘッドによるいわゆるヘリカルスキャンによって磁気テープ１０１の長手方向に対して傾斜したデータトラック１０１ｃが形成され、サーボ領域１０１ｂには、テープ再生部１０が備える固定磁気ヘッドによって、サーボトラック１０１ｄが形成される。
【００２０】
データトラック１０１ｃには、アナログ方式であればアナログ信号のまま映像信号等が記録され、デジタル方式の場合であれば映像情報に応じた記録信号等が記録される。いずれの方式であっても、データトラック１０１ｃには、記録に用いる領域Ａと、マージン等のための空き領域Ｂとが存在する。
【００２１】
各保持部１ａ，１ｂを磁気テープ上の領域として構成する場合には、例えば回転ヘッドによるデータトラック１０１ｃの記録を制御すれば上述の空き領域Ａに各々の情報を記録することができる。あるいは、固定ヘッドによる記録を制御することにより、各々の保持部１ａ，１ｂに記録すべき情報をサーボトラック１０１ｄに記録することができる。
【００２２】
サーボトラック１０１ｄに情報を記録する場合には、例えば図３に示すように、サーボ信号のデューティ比を、記録すべき情報に応じて変化させるようにすることができる。
【００２３】
テープ再生部１０には、通常の再生装置が有するカセットテープ１内の磁気テープに記録されている信号を再生する磁気ヘッド，磁気テープを磁気ヘッドに対して相対運動（すなわち走行）させるテープ走行系，磁気ヘッドの再生信号のタイミング調整，レベル調整等を行う信号処理系等の他に、各保持部１ａ，１ｂに保持されている情報を読み出すための読み出し部が設けられている。
【００２４】
この読み出し部は、例えば上述のように、磁気テープ上の所定領域によって各保持部１ａ，１ｂを構成した場合には、信号処理系の出力から各保持部１ａ，１ｂに記録されている情報を抽出する信号処理回路等によって構成することができる。
【００２５】
また、カセットテープ１表面の表示として各保持部１ａ，１ｂを構成した場合には、テープ再生部１０に、表示形態に応じた情報取得部を設ける。
【００２６】
バーコードによって各保持部１ａ，１ｂを構成した場合には、光学センサとして情報取得部を構成することができる。この場合、例えばカセットテープ１の筐体の側面にカセットテープ１のロード方向を読み取り方向とするバーコードを表示するようにしておけば、カセットテープ１をロードする際に、カセットテープ１側面のバーコードを読み取り可能な位置に設けた光センサ等によって情報取得部を構成することができる。
【００２７】
また、カセットテープ１の筐体の形状等によって各保持部１ａ，１ｂを構成する場合には、例えば図４に示すように、カセットテープ１側面に設けた切り欠き部１ｃによって、記録すべき情報を記録することができる。すなわち、例えば図５に示すように、切り欠きの有無を記録すべき情報に対応させる。
【００２８】
このような切り欠き部１ｃに記録された情報は、例えば図６に示すように、支点１２１に対してカセットテープ１方向に付勢されたローラ１２２等を当該コンテンツ再生装置内にロードされるカセットテープ１に当接させ、図７に示すような当該ローラ１２２の位置を検出することによって取得することができる。
【００２９】
（動作）
上述のように構成されたコンテンツ再生装置では、ユーザが、再生しようとするコンテンツが記録されたカセットテープ１を挿入し、コンテンツの再生を指示すると、まず、カセットテープ１に記録されているコンテンツを一旦ＨＤＤ装置２に保持する。
【００３０】
まず、カセットテープ１が挿入されると、テープ再生部１０は、識別情報保持部１ａから識別情報を取得し、識別情報取得部２０に供給する。識別情報取得部２０は、テープ再生部１０から供給された識別情報をＨＤＤ記録再生部６０に供給する。
【００３１】
また、テープ再生部１０は、鍵関連情報保持部１ｂから鍵関連情報を取得し、鍵関連情報取得部３０に供給する。鍵関連情報取得部３０は、テープ再生部１０から供給された鍵関連情報を鍵処理部４０に供給する。鍵処理部４０は、供給された鍵関連情に応じて暗号鍵（鍵情報）を生成し、暗号化処理部５０に供給する。
【００３２】
さらに、テープ再生部１０は、カセットテープ１内の磁気テープに記録されているコンテンツを読み出し、情報信号として暗号化処理部５０に供給される。
【００３３】
暗号化処理部５０は、鍵処理部４０から供給された暗号鍵に応じて、テープ再生部１０から供給される情報信号を順次暗号化し、暗号化情報信号としてＨＤＤ記録再生部６０に供給する。
【００３４】
この暗号化処理部５０における暗号化は、暗号化処理部５０の入力と出力から暗号化手順が知られ難い方法によって行われることが望ましい。例えば暗号化処理部５０内部に、外部から読み取られないように、個々のコンテンツ再生装置毎に固有の情報を保持しておき、鍵処理部４０からの暗号鍵と、当該保持しておいた情報に応じて暗号化を行うようにしてもよい。これにより、個々のコンテンツ再生装置毎に固有の暗号方法によってコンテンツが暗号化されて記録されるため、例えばＨＤＤ装置２を装置から取り外し、他のコンテンツ再生装置に接続しても、装置毎に固有の情報が異なるために正確に復号することができない。従って、コンテンツの複製の難易度の向上に寄与することができる。
【００３５】
ＨＤＤ記録再生部６０は、例えば図８に示すように、ＨＤＤ装置２に保持されている各々のコンテンツ毎に、個々のコンテンツを識別するための管理情報番号、当該コンテンツが記録された記録日時、当該コンテンツが記録されているＨＤＤ装置２上の領域を示す記録開始アドレス及び記録終了アドレスと、当該コンテンツが記録されていたカセットテープ１の識別情報とを対応付ける対応テーブルを生成し、ＨＤＤ装置２内の所定の領域に保持するようになっている。
【００３６】
識別情報取得部２０から識別情報が供給されると、ＨＤＤ記録再生部６０は、供給された識別情報をＨＤＤ装置２内の対応テーブルに記録すると共に、暗号化処理部５０から供給される暗号化されたコンテンツの保持を管理する。暗号化処理部５０から供給されたコンテンツのＨＤＤ装置２に対する保持が終了すると、ＨＤＤ記録再生部６０は、当該コンテンツの記録位置を示す記録開始アドレスと記録終了アドレスとを、当該コンテンツが記録されていたカセットテープ１の識別情報に対応させて対応テーブル内に記録する。
【００３７】
上述のようにＨＤＤ装置２に対するコンテンツの保持が終了すると、保持したコンテンツをランダムに再生し得る状態となる。この状態で、ユーザからコンテンツ内の再生位置が指示されると、当該指示された再生位置からコンテンツを再生する。
【００３８】
この際、ＨＤＤ記録再生部６０は、ＨＤＤ装置２から上述の対応テーブルを読み出し、再生が指示されたコンテンツが記録されているカセットテープ１が当該コンテンツ再生装置内に存在するか否かを確認する。再生が指示されたコンテンツに対応する識別情報が識別情報取得部２０から供給されていれば、当該コンテンツが記録されているカセットテープ１が当該コンテンツ再生装置内に存在するため、ＨＤＤ記録再生部６０は、指示された再生位置からコンテンツの再生を開始する。具体的には、ＨＤＤ記録再生部６０は、コンテンツの長さと上述の記録開始アドレス，記録終了アドレス等から、例えば指示された再生位置に対応するデータの読み出しを開始させる。
【００３９】
ＨＤＤ装置２から読み出されたコンテンツは、暗号化処理部５０によって順次復号化され、信号出力部７０によって映像信号（出力信号）に変換されて出力される。
【００４０】
一方、再生が指示されたコンテンツに対応する識別情報が識別情報取得部２０から供給されていない場合には、当該コンテンツが記録されているカセットテープ１が当該コンテンツ再生装置内に存在しないため、ＨＤＤ記録再生部６０は、その旨を示すメッセージを図示しない表示部によって表示させ、ユーザに指示されたコンテンツの再生ができない旨を通知する。あるいは、指示されたコンテンツが再生できない旨を示す映像信号を生成し、信号出力部７０を介して外部に出力するようにしてもよい。
【００４１】
このように、このコンテンツ再生装置では、ＨＤＤ装置２に一旦保持したコンテンツが記録されていたカセットテープ１が、当該コンテンツ再生装置内に存在する場合にのみ、当該コンテンツをＨＤＤ装置２から読み出して再生させることができる。
【００４２】
従って、このコンテンツ再生装置では、コンテンツが記録されていたカセットテープ１を所持していなければ、ＨＤＤ装置２に保持されたコンテンツを再生することができず、コンテンツの複製と同様の効果は得られない。このため、コンテンツの複製の阻止に寄与することができる。
【００４３】
（変形例）
なお、上述の説明では、ＨＤＤ装置２に保持したコンテンツが記録されているカセットテープ１の識別情報等を示す対応テーブルは、ＨＤＤ装置２内に記録するようにしていたが、例えばＨＤＤ記録再生部６０等に設けた不揮発性メモリ等に格納するようにしてもよい。これにより、ＨＤＤ装置２を取り外して他のコンテンツ再生装置に接続した場合には、コンテンツの記録位置等も不明になるため、複製の困難性の向上に寄与することができる。さらに、当該不揮発性メモリの内容をＨＤＤ記録再生部６０の外部から読み出し難い構成、例えばＨＤＤ記録再生部６０を構成するＩＣ内部に当該不揮発性メモリを設ける等とすることにより、複製の困難性をさらに向上させることができる。
【００４４】
また、上述の説明では、図１に示すように、ＨＤＤ装置２に記録するコンテンツを暗号化する場合について説明したが、図９に示すように、コンテンツ（情報信号）自体の暗号化は行わず、上述の管理テーブル等の管理情報のみを暗合化してＨＤＤ装置２に記録するように構成することもできる。
【００４５】
この場合、少なくとも管理テーブルの記録開始アドレスと記録終了アドレスを暗号化しておけば、暗号化方法が不明な状態では、コンテンツの記録位置が不明となる結果、コンテンツの正確な再生ができなくなる。
【００４６】
コンテンツ（情報信号）の暗号化処理は、かなり処理負荷が高いため、暗号化処理対象を管理情報のみとすることにより、コンテンツの複製の困難性をある程度維持しつつ、コンテンツ再生装置全体での暗号化／復号化の処理付加を低減させることができる。
【００４７】
また、逆に、コンテンツの再生の困難性を向上させるためには、上述の図１に示すように、コンテンツ（情報信号）の暗号化を行うと共に、図９と同様に管理情報の暗号化を行うように構成してもよい。
【００４８】
その他、本発明の技術的思想の範囲内で、適宜構成を変更することができる。
【００４９】
【発明の効果】
本発明に係るコンテンツ再生装置では、識別手段が、当該コンテンツ再生装置に装着されている第１の記録媒体を識別し、再生コンテンツ制限手段が、第２の記録媒体に保持されているコンテンツの内、識別手段が識別した第１の記録媒体から読み出して保持したコンテンツのみを第２の再生手段によって再生可能とすることにより、第２の記録媒体に保持されているコンテンツの内、当該コンテンツ再生装置に装着されている第１の記録媒体に記録されているコンテンツのみを再生可能にすることができる。
【００５０】
これにより、このコンテンツ再生装置では、第２の記録媒体に第１の記録媒体から読み出したコンテンツを保持した後、第１の記録媒体を取り出した状態で、当該コンテンツを第２の記録媒体から読み出して再生することができない。
【００５１】
従って、このコンテンツ再生装置では、コンテンツの複製と同様の効果が発生することを防止することができる。
【図面の簡単な説明】
【図１】本発明の一実施形態に係るコンテンツ再生装置の構成を示すブロック図である。
【図２】前記コンテンツ再生装置が再生するコンテンツが記録されている磁気テープ上のフォーマットの例を示す図である。
【図３】前記磁気テープ上のサーボトラックに記録される信号の例を示す図である。
【図４】前記コンテンツを記録したカセットテープの構成例を示す図である。
【図５】前記カセットテープの筐体に設けられた切り欠き部に対する情報の記録例を示す図である。
【図６】前記切り欠き部から情報を読み取るための構成の例を示す図である。
【図７】前記切り欠き部からの情報の再生を示す図である。
【図８】ＨＤＤ記録再生部がＨＤＤ装置に保持するコンテンツを管理するために用いる管理テーブルの例を示す図である。
【図９】前記コンテンツ再生装置の他の構成例を示すブロック図である。
【符号の説明】
１…カセットテープ、１ａ…識別情報保持部、１ｂ…鍵関連情報保持部、２…ＨＤＤ装置、１０…テープ再生部、２０…識別情報取得部、３０…鍵関連情報取得部、４０…鍵処理部、５０，８０…暗号化処理部、６０，９０…ＨＤＤ記録再生部、７０…信号出力部
【図１】
0003947961.tif 000002
【図２】
0003947961.tif 000003
【図３】
0003947961.tif 000004
【図４】
0003947961.tif 000005
【図５】
0003947961.tif 000006
【図６】
0003947961.tif 000007
【図７】
0003947961.tif 000008
【図８】
0003947961.tif 000009
【図９】
0003947961.tif 000010